(57)【特許請求の範囲】
【請求項１】
球通路を流れる遊技球の通過を検出する球検出手段と、
遊技球で遊技が行われる遊技盤又は該遊技盤を装飾する装飾部材で覆われ、前記球検出手段に向かう電波を吸収又は反射して減衰させる電波減衰部材と、
前記電波減衰部材に接続され、前記電波減衰部材に流れた電流により不正遊技の有無を検知する不正検知手段と、
前記不正検知手段で検知された不正状態を報知する報知手段と、
を有する遊技機。
【請求項２】
前記不正検知手段は、前記電波減衰部材で減衰しきれない周波数の電波による電流が前記電波減衰部材に流れたとき、不正遊技有りと検知する請求項１に記載の遊技機。
【請求項３】
前記電波減衰部材は、軟磁性体で形成されている請求項１又は請求項２に記載の遊技機。
【請求項４】
前記電波減衰部材が前記球通路の一部を構成している請求項１から請求項３のいずれか１項に記載の遊技機。
【請求項５】
前記電波減衰部材は、複数の導通部材が格子状に組み付けられた格子部材である請求項１から請求項４のいずれか１項に記載の遊技機。
【発明の詳細な説明】
【技術分野】
【０００１】
本発明は、遊技球が遊技盤の表面に沿って、釘及び風車を含む障害物に当接しながら落下する領域に設けられ、入賞することで賞球が払い出される入賞口を備えた遊技機に関する。
【背景技術】
【０００２】
特許文献１の遊技機は、遊技盤を覆うガラス板が２枚のガラス（遊技者側、遊技盤側）で構成されており、遊技者側のガラスには、外部からの電波を遮断するための導電性の酸化錫膜が形成されている。
【０００３】
特許文献２の遊技機は、２枚の透明樹脂体で導電合成繊維織布を挟んで電磁波検出用アンテナを形成し、この電磁波検出用アンテナを遊技機の前側を覆って取付けている。そして、電磁波検出用アンテナに電磁波検知器を接続して、電磁波検出を行っている。
【０００４】
しかし、特許文献１、２の遊技機は、いずれもガラス板そのものに電波遮断又は電波検出の対策を施しているため、対策を施していないガラス板を用いた場合に比べて光の透過率が低下しており、遊技者による遊技球の視認性が低下していた。
【先行技術文献】
【特許文献】
【０００５】
【特許文献１】特開２０００−２１６５９０号公報
【特許文献２】特開平１１−３３３１２３号公報
【発明の概要】
【発明が解決しようとする課題】
【０００６】
本発明は、遊技盤に電波を照射して遊技球を獲得する不正行為に対し、遊技球の視認性の低下を抑制すると共に不正行為を防ぐことができる遊技機を得ることを目的とする。
【課題を解決するための手段】
【０００７】
本発明の請求項１に係る遊技機は、球通路を流れる遊技球の通過を検出する球検出手段と、遊技球で遊技が行われる遊技盤又は該遊技盤を装飾する装飾部材で覆われ、前記球検出手段に向かう電波を吸収又は反射して減衰させる電波減衰部材と、前記電波減衰部材に接続され、前記電波減衰部材に流れた電流により不正遊技の有無を検知する不正検知手段と、前記不正検知手段で検知された不正状態を報知する報知手段と、を有する。
【０００８】
上記構成によれば、遊技者側から遊技盤（球検出手段）に電波（以後、不正電波という）を照射する不正行為が行われたとき、不正電波は、球検出手段よりも遊技者側にある電波減衰部材に照射される。そして、電波減衰部材では、不正電波が吸収又は反射されることで減衰される。これにより、不正電波が球検出手段に到達するのを防ぐことができる。さらに、電波減衰部材は、遊技盤又は装飾部材によって覆われているため、電波減衰部材によって遊技球の視認性が低下することはない。このため、電波減衰部材による遊技球の視認性の低下を抑制することができる。また、電波減衰部材に流れた電流が不正検知手段で検知されることで報知手段が不正状態を報知する。これにより、不正を防ぐことができる。
【０００９】
本発明の請求項２に係る遊技機の前記不正検知手段は、前記電波減衰部材で減衰しきれない周波数の電波による電流が前記電波減衰部材に流れたとき、不正遊技有りと検知する。
【００１０】
上記構成によれば、電波減衰部材が減衰しきれる周波数の電波が存在する場合は、不正電波が減衰されるので、不正を防ぐことができる。また、電波減衰部材が減衰しきれない周波数の電波が存在した場合であっても、電波減衰部材に流れた電流が不正検知手段で検知されることで報知手段が不正状態を報知する。これにより、電波減衰部材で減衰しきれない周波数の電波による不正を防ぐことができる。
【００１１】
本発明の請求項３に係る遊技機は、前記電波減衰部材は、軟磁性体で形成されている。
【００１２】
上記構成によれば、磁石を用いた不正行為が行われた場合でも電波減衰部材が着磁されにくくなるので、球通路及び球検出手段における遊技球の流れる方向が電波減衰部材によって変更されるのを防ぐことができる。さらに、不正検知手段が電波減衰部材の磁力についても検知する構成となっている場合には、電波減衰部材の着磁による連続した検知ＯＮ状態の検知（誤検知）を防ぐことができる。
【００１３】
本発明の請求項４に係る遊技機は、前記電波減衰部材が前記球通路の一部を構成している。
【００１４】
上記構成によれば、電波減衰部材が球通路の一部を構成しているので、球通路とは異なる部位に電波減衰部材を設置する構成に比べて、遊技機内の省スペース化が可能となる。
【００１５】
本発明の請求項５に係る遊技機は、前記電波減衰部材は、複数の導通部材が格子状に組み付けられた格子部材である。
【００１６】
上記構成によれば、縦方向（鉛直方向）を長手方向とする電波減衰部材及び横方向（水平方向）を長手方向とする電波減衰部材のいずれか一方のみを設けた構成に比べて、電波を吸収又は反射する範囲が拡がるので、不正電波の減衰性能を向上させることができる。
【発明の効果】
【００１７】
本発明は、上記構成としたので、遊技盤に電波を照射して遊技球を獲得する不正行為に対し、遊技球の視認性の低下を抑制すると共に不正行為を防ぐことができる。
【図面の簡単な説明】
【００１８】
【図１】本発明の第１実施形態に係るパチンコ機の正面図である。
【図２】本発明の第１実施形態に係る遊技盤の正面図である。
【図３】本発明の第１実施形態に係るサイド飾り、遊技盤、電波シールド部材、及び球案内パネルの配置を示す説明図である。
【図４】（Ａ）本発明の第１実施形態に係る遊技盤の裏面側に取り付けられた電波シールド部材及び球案内パネルの斜視図である。（Ｂ）本発明の第１実施形態に係る遊技機のガラス板から球案内パネルまでの構成を示す断面図である。
【図５】（Ａ）、（Ｂ）本発明の第１実施形態に係る球案内パネルの正面図及び斜視図である。
【図６】本発明の第１実施形態に係る球検出センサの斜視図である。
【図７】本発明の第１実施形態に係る電波シールド部材による不正電波の減衰状態及び検知状態を示す説明図である。
【図８】（Ａ）本発明の第２実施形態に係る遊技機の断面図である。（Ｂ）本発明の第２実施形態の他の実施例に係る電波シールド部材と球検出センサの配置を示す説明図である。
【発明を実施するための形態】
【００１９】
本発明の第１実施形態に係るパチンコ機について説明する。
【００２０】
（パチンコ機の構成）
図１には、第１実施形態の遊技機の一例としてのパチンコ機１０が示されている。パチンコ機１０は、パチンコ機１０の外郭を構成するとともにパチンコホールの島設備（図示省略）に設置される矩形状の外枠１２を備えている。外枠１２の前面には、合成樹脂で矩形額縁状に形成された内枠１４が配置されており、内枠１４の下側となる外枠１２の前面下端部には、パチンコ機１０の前面下端部を構成する合成樹脂製の下飾り１６が取り付けられている。
【００２１】
下飾り１６の上部には、互いに平行、かつ奥行き方向に所定の間隔をおいて配置された一対のガラス板１８を装着したガラス枠２０が配置されており、ガラス枠２０は左側端部が軸支されて開閉可能に取り付けられている。このガラス枠２０の奥側には、着脱交換可能に遊技盤２２がセットされており、遊技盤２２は、ガラス枠２０で閉塞された状態でガラス板１８に対向するようになっている。
【００２２】
ガラス枠２０の下部には、皿ユニット２４が配置されている。パチンコ機１０の正面視で皿ユニット２４の右端部には、鍵穴２６が設けられており、鍵穴２６にキーを差し込み、左右の内、一方に回すとガラス枠２０が開放し、他方に回すと皿ユニット２４が開放するようになっている。
【００２３】
皿ユニット２４には、遊技球（図示省略）が払い出される上皿部２８と、上皿部２８で満杯となった遊技球が送り出される下皿部３０とが設けられている。上皿部２８を形成する周縁壁部３２には、上皿球抜きレバー３４が設けられており、この上皿球抜きレバー３４を操作することで、上皿部２８に貯留された遊技球を下皿部３０へ送り出すことができるようになっている。また、下皿部３０には、下皿球抜きボタン３６が設けられ、この下皿球抜きボタン３６を操作することで、下皿部３０に貯留された遊技球を外部（例えば、いわゆる「ドル箱」）へ排出することができるようになっている。
【００２４】
上皿部２８の周縁壁部３２における右端部には、球貸ボタン３８と、返却ボタン４２が設けられている。また、皿ユニット２４の右側下部には打球の発射力（飛距離）を調整するための発射ハンドル４４が取り付けられ、左側下部には、灰皿４６が収納されている。そして、皿ユニット２４における下皿部３０の右側には、報知手段の一例としてのスピーカ５０が設けられている。
【００２５】
さらに、皿ユニット２４における上皿部２８の周縁壁部３２には、遊技者が操作可能な操作ボタン５２が設けられている。操作ボタン５２は、遊技中において、操作有効期間中に操作することで、演出画像に対して介入することができるようになっており、それぞれの遊技仕様によって設定される。
【００２６】
一方、ガラス枠２０におけるガラス板１８の周囲には、遊技の進行に応じて点灯、消灯、及び点滅し照明による視覚的効果や、音声等による聴覚的効果等の演出効果を生み出すアーチ状の上側演出部５４が設けられている。そして、上側演出部５４の下端部は、皿ユニット２４の周囲に略Ｕ字型に配置された下側演出部５６の上端部と連結されている。この結果、上側演出部５４と下側演出部５６とで、遊技盤２２の周囲を取り囲むように、演出部５８が形成されている。
【００２７】
下側演出部５６は、上側演出部５４及び下側演出部５６共に、照明部材（ＬＥＤ等）が取り付けられた基板（図示省略）と、この基板を覆うように所定の意匠で形成されたレンズカバー６２とが取り付けられている。
【００２８】
レンズカバー６２は、前記照明部材が点灯する領域を区画するよう凹凸状にカットされており、区画された領域毎に照明部材の点灯制御がなされる。なお、照明部材は基本的にＲ（赤色）、Ｇ（緑色）、Ｂ（青色）の３色に点灯するＬＥＤが１組となっており、それぞれの点灯時の光量比により、様々な配色の点灯が可能となっている。
【００２９】
また、ガラス枠２０の上部角部には、それぞれ報知手段の一例としての三連表示灯６４が設けられ、遊技状態の報知（エラー報知や後述する不正報知等を含む）に適用される。さらに、上側演出部５４における、ガラス枠２０の上部円弧の約１／３に相当する領域の中央及び両端には、ガラス枠スピーカ６０Ｃ、６０Ｌ、６０Ｒが内蔵され、照明と同時に音声を出力するようになっている。
【００３０】
（遊技盤の構成）
図２に示すように、遊技盤２２は、基板となるベニヤ板に樹脂製シート状のセルが貼着されてそのセルの表面が盤面となっており、盤面の外周端部付近に、円弧状の外レール７２及び内レール７４が取り付けられている。これらの外レール７２及び内レール７４によって囲まれた円形状の領域は、発射装置（図示省略）から発射されて打ち込まれた遊技球ＰＢが自重落下により移動可能とされ、この領域が遊技を行う遊技領域Ｆとされている。
【００３１】
遊技盤２２の遊技領域Ｆには、釘（図示省略）及び風車７６が点在して打ち込まれている。また、遊技領域Ｆにおけるほぼ中央には、センター役物８０が配置されている。センター役物８０は、各種演出等の映像を表示するＬＣＤ表示部８２を備えている。
【００３２】
ＬＣＤ表示部８２では、例えば、３列の図柄列が独立して変動し、最終的に３列の図柄列が同一図柄で停止した場合に特別図柄抽選の当選を報知するといった、図柄変動パターン演出が実行される。なお、３列の内、先に２列が同一図柄で停止（仮停止）して、残りの１列が変動中の場合、あるいは、３列の内、先に左右２列が同一図柄で停止（仮停止）して、残りの中央の１列が変動中の場合を「リーチ」という。
【００３３】
センター役物８０の下辺部には、ステージ８０Ｓが形成されている。ステージ８０Ｓには、釘等で跳ね返えることで受け入れた遊技球ＰＢ、あるいは図示しないワープ路に案内されて受け入れた遊技球ＰＢが送り込まれるようになっている。また、ステージ８０Ｓは、傾斜面や突起部等が形成されており、遊技球ＰＢの移動が当該傾斜面や突起部等により不規則に変化して、最終的に下辺手前から遊技盤２２へ戻されるようになっている。
【００３４】
一方、センター役物８０の左側（図示の左側）には、普通図柄抽選の始動機能を持つ通過ゲート８４が配置されている。また、センター役物８０の下部には、特別図柄始動入賞口８６Ａ、８６Ｂが上下に設けられている。
【００３５】
特別図柄始動入賞口８６Ａは、常時、入賞可能に上部が開口しており、特別図柄始動入賞口８６Ｂの上部開口（入賞開口部）は、特別図柄始動入賞口８６Ａが閉塞している。この特別図柄始動入賞口８６Ｂには、電動チューリップ８８が取り付けられている。電動チューリップ８８は、遊技盤２２の裏面側に配設された電チューソレノイド（図示省略）の通電、非通電によって開閉する構成となっている。ここで、電動チューリップ８８が開放状態になると、特別図柄始動入賞口８６Ｂの入賞開口部への遊技球ＰＢの受け入れが可能となり、遊技球ＰＢの入賞が可能となる。
【００３６】
また、図２に示すように、特別図柄始動入賞口８６Ｂの下側には、遊技領域Ｆの下端部付近に位置してアタッカー９２が配置されている。アタッカー９２には開閉扉９４が設けられており、開閉扉９４は、アタッカーソレノイド（図示省略）の通電、非通電によって開放又は閉塞されるようになっている。すなわち、開閉扉９４の開放時には、開閉扉９４上に落下した遊技球ＰＢが開閉扉９４に案内されてアタッカー９２へ入賞する。
【００３７】
また、遊技領域Ｆの中央の最下位置には、入賞せずに流化した遊技球ＰＢ（外れ球）を遊技盤２２の裏側へ排出するアウト口９６が設けられている。
【００３８】
さらに、遊技領域Ｆにおけるセンター役物８０よりも下で、且つ特別図柄始動入賞口８６Ａ、８６Ｂの左右には、複数のサイド入賞口１０２（本実施形態では、パチンコ機１０を遊技者側から正面視して、向かって左側に２個のサイド入賞口１０２Ａ、１２０Ｂ、右側に１個のサイド入賞口１０２Ｃとする。）が設けられている。なお、サイド入賞口１０２は、３個に限られるものではなく、例えば、入賞率等の設計上の演算によってその数を決めればよい。
【００３９】
ここで、特別図柄始動入賞口８６Ａ又は特別図柄始動入賞口８６Ｂに遊技球ＰＢが入賞すると、特別図柄抽選が実行され、この特別図柄抽選に当選すると、前記アタッカー９２の開閉扉９４が所定のパターンで開閉動作し、これを所定回数（所定ラウンド）繰り返すようになっている（「特別遊技状態」又は「大役処理」等と言う場合がある）。
【００４０】
なお、前記特別図柄抽選の当選／落選は、主としてＬＣＤ表示部８２の図柄変動表示演出において遊技者に報知され、この図柄変動パターン演出中、或いは、前記大役処理中の場合は、抽選結果を保留し、順次報知していくようになっている。また、図柄変動表示演出と共に、動物などが擬人化されたキャラクタが表示され、抽選で当選した旨を暗示させることにより、遊技者に期待感を持たせるといった視覚的な演出をすることがあり、その場合は、効果音によって聴覚からも遊技者の興趣を増大させる。
【００４１】
一方、遊技盤２２には、内レール７４の内側に沿って取付けられ遊技領域Ｆの左下側の一部を構成する装飾部材１０４が設けられている。装飾部材１０４は、略三日月状の本体部１０４Ａを有しており、本体部１０４Ａの中央付近にはサイド入賞口１０２Ａが設けられ、本体部１０４Ａの右下側にはサイド入賞口１０２Ｂが設けられている。なお、本体部１０４Ａの装飾状態（形状）については説明を省略する。
【００４２】
ここで、図２、図３、及び図４（Ａ）、（Ｂ）に示すように、遊技盤２２の裏面側（遊技者と対面する側を表面とする）におけるセンター役物８０の下部には、球通路の一例としての球案内パネル１２０が取付けられている。球案内パネル１２０は、図２に鎖線で示すように、センター役物８０の下部に集中している入賞口（特別図柄始動入賞口８６Ａ、８６Ｂ、サイド入賞口１０２Ａ、１０２Ｂ、１０２Ｃ）に対応するように取り付けられている。
【００４３】
図５（Ａ）、（Ｂ）に示すように、球案内パネル１２０は、遊技盤２２（図２参照）の幅方向寸法と略同一の幅寸法を有しており、さらに、センター役物８０（図２参照）の下部の領域に相当する遊技盤２２の高さ寸法と略同一の高さ寸法を有している。そして、球案内パネル１２０は、全体として横長の薄板形状となっており、この薄板形状の主面部１２０Ａの少なくとも周縁から壁面部１２０Ｂが遊技盤２２側へ突出されて箱型に形成されている。
【００４４】
球案内パネル１２０には、壁面部１２０Ｂに加えて各所に壁面部１２０Ｃが突出されている。これにより、球案内パネル１２０には、前記５個の入賞口（特別図柄始動入賞口８６Ａ、８６Ｂ、サイド入賞口１０２Ａ、１０２Ｂ、１０２Ｃ）から入賞した遊技球ＰＢを案内するための、それぞれ独立した球案内流路１２２、１２４、１２６、１２８、１３０が形成されている。そして、それぞれの球案内流路１２２、１２４、１２６、１２８、１３０の途中には、遊技球ＰＢを検出するための特別始動入賞センサ１３２Ｓ、特別始動入賞センサ１３４Ｓ、一般入賞センサ１３６ＡＳ、１３６ＢＳ、１３６ＣＳに相当する球検出センサ１４０が配置されている。
【００４５】
図６に示すように、球検出センサ１４０は、薄型板状の直方体形状であり、円形の通過孔１４２Ａが形成されている。通過孔１４２Ａが遊技球ＰＢを検出する検出領域であり、この検出領域（通過孔１４２Ａの周縁）に検出部１４２Ｂが設けられている。また、球検出センサ１４０には、検出部１４２Ｂからの信号を受けて出力信号を生成する信号生成部１４２Ｃが設けられている。ここで、球検出センサ１４０に駆動電力が供給されると、通過孔１４２Ａに遊技球ＰＢが通過していない状態（通常状態）において、検出信号としてＨ信号（３．３Ｖ又は５．０Ｖ）を出力する構成となっている。逆に、通過孔１４２Ａを遊技球ＰＢが通過すると、Ｌ信号（無信号）となる。
【００４６】
このように、遊技球ＰＢの非検出時にＨ信号、検出時にＬ信号とすると、例えば、外部からの電波の一部が球検出センサ１４０の検出領域に届くことがあっても、Ｈ信号が維持されることになる。すなわち、外部からの電波は、Ｌ信号（無信号状態）の出力をＨ信号に変換させる能力はあるが、Ｈ信号をＬ信号に変換する能力はないためである。なお、信号生成部１４２Ｃは、パチンコ機１０（図１参照）の各部の動作を制御する制御部１５０（図７参照）に接続されている。
【００４７】
（要部構成）
次に、電波減衰部材の一例としての電波シールド１１０について説明する。
【００４８】
図７に示すように、電波シールド１１０は、透明な樹脂製（一例として、アクリル製）の板材１１２を有している。そして、板材１１２の表面には、複数の導通部材の一例としての鉄線１１４が、縦、横に間隔（例えば２０ｍｍ）をあけた格子状の部材（格子部材）として取付けられている。なお、電波シールド１１０に用いる導通部材の材質としては、磁石によって磁化されにくい軟磁性体が好ましく、ここでは軟磁性体の一例として、鉄線を用いている。
【００４９】
また、複数の鉄線１１４のうち、１本の鉄線１１４の端部には、配線１１６の一端が接続されており、配線１１６の他端は、不正検知手段の一例としての検知ユニット１６０に接続されている。そして、検知ユニット１６０は、配線１１８を介して制御部１５０に電気的に接続されている。また、検知ユニット１６０は、内部に電流検知回路（図示省略）を有しており、鉄線１１４から配線１１６を介して、予め設定されている電流量に相当する電流Ｉが流れると、この電流Ｉを検知して、制御部１５０に電流検知の信号を送るようになっている。
【００５０】
一方、制御部１５０は、検知ユニット１６０から送られた電流検知の信号を受信したとき、不正遊技が行われているものとして、図１に示す三連表示灯６４を点滅させ、あるいは、スピーカ５０から警告音を出力させるようになっている。なお、不正遊技の報知手段としては、三連表示灯６４やスピーカ５０といった、パチンコ機１０側に設けられているものに限らず、パチンコ機１０を取付けるホールの島設備（図示省略）の表示灯あるいはスピーカであってもよい。
【００５１】
図３及び図４（Ａ）、（Ｂ）に示すように、電波シールド１１０は、遊技盤２２の裏面側にビス（図示省略）等の取付手段で取付けられており、遊技盤２２の裏面側に球案内パネル１２０を取付けた状態で、一般入賞センサ１３６ＢＳの前方を覆うようになっている。すなわち、電波シールド１１０は、遊技盤２２と球案内パネル１２０の一般入賞センサ１３６ＢＳとの間に配置されており、遊技盤２２があることによって、遊技者からの視認が不能とされている。
【００５２】
ここで、装飾部材１０４は、パチンコ機１０の正面視で電波シールド１１０の取付範囲を覆って取付けられている。このため、仮に、遊技盤２２に開口部（図示省略）が形成され、当該開口部を介して電波シールド１１０が視認される構成であったとしても、装飾部材１０４が電波シールド１１０を覆うため、電波シールド１１０は、遊技者からの視認が不能とされる。
【００５３】
なお、本実施形態では、一例として、一般入賞センサ１３６ＢＳに対する不正行為を防ぐ構成として電波シールド１１０を説明しているが、遊技球ＰＢを検出するための他のセンサ（特別始動入賞センサ１３２Ｓ、特別始動入賞センサ１３４Ｓ、一般入賞センサ１３６ＡＳ、１３６ＣＳ）に対して適用してもよい。また、図４（Ｂ）では、ガラス板１８の表面側を基準として、パチンコ機１０側を範囲Ａ１、遊技者（図示省略）側を範囲Ａ２で表している。
【００５４】
次に、第１実施形態の作用について説明する。
【００５５】
図２に示すパチンコ機１０において、遊技者側から遊技盤２２（一般入賞センサ１３６ＢＳ）に向けて不正電波を照射する不正行為が行われたとき、図７に示すように、不正電波ＥＡは、一般入賞センサ１３６ＢＳよりも遊技者側に配置されている電波シールド１１０に照射される。
【００５６】
電波シールド１１０では、格子状に配置された鉄線１１４によって不正電波ＥＡが吸収又は反射されるため、不正電波ＥＡは減衰して微弱な電波ＥＢとなる。これにより、不正電波ＥＡが一般入賞センサ１３６ＢＳに到達するのを防ぐことができ、一般入賞センサ１３６ＢＳが不正電波ＥＡによって作動されるのを抑制することができる。
【００５７】
また、電波シールド１１０では、仮に、減衰しきれない周波数の不正電波が存在した場合であっても、この不正電波によって電波シールド１１０の鉄線１１４に電流Ｉが流れる。これにより、検知ユニット１６０で電流Ｉが検知される。そして、制御部１５０では、不正行為が行われたと判断して、三連表示灯６４を通常時とは異なる点灯状態とし、又はスピーカ５０から警告音を出力させることで不正状態を報知する。このようにして、電波シールド１１０で減衰しきれない周波数の電波による不正を防ぐことができる。
【００５８】
ここで、図２に示すように、遊技盤２２はもともと遊技領域Ｆを形成している部材であるため、遊技者にとって、遊技球ＰＢの視認性が低下することはない。そして、電波シールド１１０は、遊技盤２２により遊技者からの視認が不能とされているため、電波シールド１１０による遊技球ＰＢの視認性の低下を抑制することができる。
【００５９】
さらに、電波シールド１１０では、鉄線１１４が軟磁性体であるため、不正電波とは別に磁石を用いた不正行為が行われた場合でも、電波シールド１１０が着磁されにくくなる。これにより、球案内パネル１２０及び球検出センサ１４０における遊技球ＰＢの流れる方向が、着磁された電波シールド１１０によって変更されることがなくなり、遊技球ＰＢの流れが抑制されるのを防ぐことができる。
【００６０】
加えて、図７において、検知ユニット１６０が電波シールド１１０付近の不正な磁力の有無についても検知する構成となっている場合には、電波シールド１１０が着磁されにくくなっているため、電波シールド１１０の着磁による連続した検知ＯＮ状態（誤検知）となるのを防ぐことができる。
【００６１】
また、図２に示すように、パチンコ機１０は、遊技盤２２が電波シールド１１０を覆っているため、遊技盤２２の裏面側（遊技者とは反対側）に配置される電波シールド１１０の取付面積を広げた場合でも、遊技球ＰＢの視認性には影響を与えずに済む。これにより、取付面積の大きさに関わらず、電波シールド１１０を取付けることができる。
【００６２】
さらに、図７に示すように、本実施形態の電波シールド１１０は、複数の鉄線１１４が格子状に組み付けられた格子部材となっているので、縦方向（鉛直方向）を長手方向とする鉄線１１４及び横方向（水平方向）を長手方向とする鉄線１１４のいずれか一方のみを設けた構成に比べて、不正電波を吸収又は反射する範囲が拡がる。これにより、不正電波の減衰性能を向上させることができる。
【００６３】
次に、本発明の第２実施形態に係る遊技機について説明する。なお、前述した第１実施形態と基本的に同一の部材には、前記第１実施形態と同一の符号を付与してその説明を省略する。
【００６４】
図８（Ａ）には、第２実施形態の遊技機の一例としてのパチンコ機１７０が示されている。パチンコ機１７０は、第１実施形態のパチンコ機１０と同様に三連表示灯６４及びスピーカ５０（図１参照）を有している。また、パチンコ機１７０は、遊技球ＰＢが流れる球通路１７２Ａが形成された遊技盤１７２を有しており、遊技盤１７２の裏面側には、遊技球ＰＢを下方側へ案内する球案内ユニット１７４が設けられている。球案内ユニット１７４は、遊技球ＰＢの通路の途中に球検出センサ１４０が取付けられており、通過孔１４２Ａを通る遊技球ＰＢが検出されるようになっている。
【００６５】
一方、遊技盤１７２の表面側（遊技者側）には、装飾部材１７６が取付けられている。装飾部材１７６は、遊技球ＰＢの一般入賞口１７８が形成されており、さらに、遊技盤１７２に取付けられる取付面１７６Ｂ側の上部で且つ一般入賞口１７８よりも下側の部位に、凹部１７６Ａが形成されている。この凹部１７６Ａによって、装飾部材１７６と遊技盤１７２との間に隙間が形成されており、この隙間には、電波減衰部材の一例としての電波シールド１８０が設けられている。また、装飾部材１７６の一般入賞口１７８の裏側下方には、遊技球ＰＢを球通路１７２Ａに案内する傾斜面１７６Ｃが形成されている。
【００６６】
電波シールド１８０は、鉄製のフレーム材１８２が格子状に形成された格子部材であり、正面視で球検出センサ１４０を覆うようにして装飾部材１７６と遊技盤１７２との間に設けられている。そして、電波シールド１８０の格子で囲まれた複数の開口のうち１つの開口の縁部が、球通路１７２Ａの一部を構成している。また、図示を省略するが、電波シールド１８０は、前述の検知ユニット１６０（図７参照）に配線で接続されている。
【００６７】
次に、第２実施形態の作用について説明する。
【００６８】
図８（Ａ）に示すパチンコ機１７０において、遊技者側から遊技盤１７２（球検出センサ１４０）に向けて不正電波を照射する不正行為が行われたとき、この不正電波は、球検出センサ１４０よりも遊技者側に配置されている電波シールド１８０に照射される。
【００６９】
電波シールド１８０では、格子状に配置されたフレーム材１８２によって不正電波が吸収又は反射されるため、不正電波は減衰して微弱な電波となる。これにより、不正電波が球検出センサ１４０に到達するのを防ぐことができ、球検出センサ１４０が不正電波によって作動されるのを抑制することができる。
【００７０】
また、電波シールド１８０では、仮に、減衰しきれない周波数の不正電波が存在した場合であっても、この不正電波によって電波シールド１８０のフレーム材１８２に電流が流れる。これにより、検知ユニット１６０（図７参照）で電流が検知される。そして、制御部１５０（図７参照）では、不正行為が行われたと判断して、三連表示灯６４（図１参照）を通常時とは異なる点灯状態とし、又はスピーカ５０（図１参照）から警告音を出力させることで不正状態を報知する。このようにして、電波シールド１８０で減衰しきれない周波数の電波による不正を防ぐことができる。
【００７１】
ここで、装飾部材１７６は、もともと遊技領域Ｆを形成している部材であるため、遊技者にとって、遊技球ＰＢの視認性が低下することはない。そして、電波シールド１８０は、装飾部材１７６により遊技者からの視認が不能とされているため、電波シールド１８０による遊技球ＰＢの視認性の低下を抑制することができる。
【００７２】
さらに、電波シールド１８０では、フレーム材１８２が軟磁性体であるため、不正電波とは別に磁石を用いた不正行為が行われた場合でも、電波シールド１８０が着磁されにくくなる。これにより、球通路１７２Ａにおける遊技球ＰＢの流れる方向が、着磁された電波シールド１８０によって変更されることがなくなり、遊技球ＰＢの流れが抑制されるのを防ぐことができる。
【００７３】
また、パチンコ機１７０では、電波シールド１８０が遊技球ＰＢの通路の一部を構成しているので、球通路とは異なる部位に電波シールド１８０を設置する構成に比べて、パチンコ機１７０内の省スペース化が可能となる。
【００７４】
加えて、電波シールド１８０は、装飾部材１７６と遊技盤１７２との間に取付けられ（配置され）ているので、装飾部材１７６を取外すことで電波シールド１８０が取付け又は取外し可能となる。これにより、パチンコ機１７０の遊技者側（前面側）で電波シールド１８０の交換等のメンテナンス作業を行うことができ、電波シールド１８０のメンテナンス性を向上させることができる。
【００７５】
ここで、第２実施形態の他の実施例として、例えば、図８（Ｂ）に示すように、電波シールド１８０に換えて電波シールド１９２を設けてもよい。電波シールド１９２は、鉄製で角型筒状の部材であり、奥行き方向に側面が延設されるように配置され、球通路１７２Ａの一部を構成している。この電波シールド１９２によれば、正面側からの不正電波ＥＡだけでなく、斜め方向からの不正電波ＥＣに対しても反射及び吸収が行えるので、不正電波を減衰させることができる。
【００７６】
なお、本発明は上記の実施形態に限定されない。
【００７７】
パチンコ機１０は、遊技盤２２が非対称ゲージとなっていたが、対称ゲージであってもよい。また、電波シールド１１０、１８０は、遊技盤の裏、表に取付けるだけでなく、例えば、遊技盤を構成するベニヤとセルとの間に設けてもよい。さらに、電波シールド１１０、１８０を設ける部位は、遊技球ＰＢの検出を行う球検出センサが設けられている部位であればどこでもよく、サイド入賞口の他に、アタッカー周辺、電チュー周辺、始動口周辺に設けてもよい。
【００７８】
また、電波シールド１８０を装飾部材１７６に埋め込んでもよい。さらに、電波シールド１８０を遊技盤１７２の裏面側に設けてもよい。これらによっても、同等の電波シールド効果を得ることができる。
【符号の説明】
【００７９】
１０  パチンコ機（遊技機の一例）
２２  遊技盤
５０  スピーカ（報知手段の一例）
６４  三連表示灯（報知手段の一例）
１１０  電波シールド（電波減衰部材、格子部材の一例）
１１４  鉄線（導通部材の一例）
１２０  球案内パネル（球通路の一例）
１４０  球検出センサ（球検出手段の一例）
１６０  検知ユニット（不正検知手段の一例）
１７０  パチンコ機（遊技機の一例）
１７６  装飾部材
Ｆ  遊技領域
ＰＢ  遊技球
【図１】
0005752426.tif 000002
【図２】
0005752426.tif 000003
【図３】
0005752426.tif 000004
【図４】
0005752426.tif 000005
【図５】
0005752426.tif 000006
【図６】
0005752426.tif 000007
【図７】
0005752426.tif 000008
【図８】
0005752426.tif 000009